(57)【特許請求の範囲】
【請求項１】
ホルダー台板と透明又は半透明なカバー板を重ねることで、該ホルダー台板と該カバー板の間に書画等を収納するホルダーにおいて、該ホルダー台板及び／又は該カバー板の上部側と下部側の各々に切り目を設けるとともに、一の書画等用ホルダーの上部側切り目と他の書画等用ホルダー下部側切り目とを連結可能とするために、上部側及び下部側の切り目の内、一方の切り目をＵ字状、半円形状、台形及び下狭台形状のいずれかよりなる舌片とし、他方の切り目を直線状、上向き円弧状及び下向き円弧状したことを特徴とする書画等用ホルダー。
【請求項２】
前記切り目の両端に丸穴を設けたことを特徴とする請求項１記載の書画等用ホルダー。
【請求項３】
一の書画等用ホルダーの上部側切り目と他の書画等用ホルダー下部側切り目とを連結したとき、一の書画等用ホルダーと他の書画等用ホルダーが整列するよう上記上部側切り目の位置と上記下部側切り目の位置とを位置合わせしたことを特徴とする請求項１又は２記載の書画等用ホルダー。
【発明の詳細な説明】
【０００１】
【発明の属する技術分野】
本発明は、書画等用ホルダーに関するものである。特に、複数の書画等を展示するのに便利な書画等用ホルダーに関するものである。
【０００２】
【従来の技術】
従来の習字や絵画等の書画等を展示する場合、単に書画等を直接展示板に押しピン、接着剤、テープ等で貼り付けるか、書画等を複数収納するホルダーにいれ当該ホルダーごと展示するか、または書画等を一つ一つをホルダーにいれ当該ホルダーを押しピン、接着剤、テープ等で展示板に貼り付けるのが通常であった。
【０００３】
【発明が解決しようとする課題】
従来の単に書画等を直接展示板に押しピン、接着剤、テープ等で貼り付ける方法では、書画等を汚したり、押しピン等で書画等を傷付けるという問題があった。また、書画等をホルダーにいれて当該ホルダーを展示する場合においては、当該ホルダーが複数収納するものであっては、書画等を傷付けることはないが、展示板への貼り付け作業が大変であるとともに展示終了後取り外すし作者に返却する場合、ホルダーより取り出すことが必要である問題があった。また書画等を一つ一つをホルダーにいれ当該ホルダーを押しピン、接着剤、テープ等で展示板に貼り付ける方法でもホルダー一つ一つを展示板に貼り付ける作業が大変である問題があった。
【０００４】
本発明は、上記問題を解決し書画等を展示する場合に、当該書画等を傷付けることなく、かつ展示作業を軽減するとともに書画等を作者に返却するときには、ホルダーごと返却することができる書画等用ホルダーを提供することを目的とする。
【０００５】
【課題を解決するための手段】
本発明は、ホルダー台板と透明又は半透明なカバー板を重ねることで、該ホルダー台板と該カバー板の間に書画等を収納するホルダーにおいて、該ホルダー台板及び／又は該カバー板の上部側と下部側の各々に切り目を設けたことを特徴とする書画等用ホルダーである。
【０００６】
また、一の書画等用ホルダーの上部側切り目と他の書画等用ホルダー下部側切り目とを連結可能にしたことを特徴とする書画等用ホルダーである。
【０００７】
さらに、 一の書画等用ホルダーの上部側切り目と他の書画等用ホルダー下部側切り目とを連結したとき一の書画等用ホルダーと他の書画等用ホルダーが整列するよう上記上部側切り目の位置と上記下部側切り目の位置とを位置合わせしたことを特徴とする書画等用ホルダーである。
【０００８】
本発明の書画等用ホルダーは、上記構成としたことで、書画等を展示する場合に、当該書画等を傷付けることなく、かつ展示作業を軽減するとともに書画等を作者に返却するときには、ホルダーごと返却することができるという効果を有するものである。
【０００９】
【発明の実施の形態】
本発明の書画等用ホルダーは、ホルダー台板に透明又は半透明なカバー板を重ね、縦・横の各々一辺を接合し、縦・横の他辺は開放することで当該ホルダー台板とカバー板との間に書画等を収納することが出来るホルダーであって、当該ホルダー又はカバー板の上側に所定形状の切り目を設ける一方、当該ホルダー又はカバー板の下側にも所定形状の切り目を設けることで、一のホルダーの上部切り目により形成される舌片を、二のホルダーの下部切り目に挿入できるようになして、当該一のホルダーと当該二のホルダーとを連結できる書画等用ホルダーである。上記上部切り目により形成される舌片を書画等用ホルダーの下部に設け、上記下部切り目を書画等用ホルダーの上部に設けてもよい。尚、舌片をホルダーの上部に設ける場合は、当該舌片は下向きに形成する必要があるのに対し、舌片をホルダーの下側に設ける場合は、当該舌片は上向きに形成する必要がある。
【００１０】
また、上記上部切り目により形成される舌片の位置と上記下部切り目の位置を所定の位置に調整することで一のホルダーと二ホルダーとが整列して連結することができ、習字作品や絵画等の作品を展示する場合非常に便利である。
【００１１】
図１に示した書画等用ホルダー１は縦方向に長い長方形なものであるが、当該形状に限らず、台形、正方形、三角形、丸、楕円形等であってもよい。本発明の形態を、図１に示した長方形の書画等用ホルダーを例にして説明する。当該書画等用ホルダー１のホルダー台板２はポリエチレン、ポリプロピレン等の合成樹脂フィルムを縦方向に長い長方形に切断し、その上に透明又は半透明なポリエチレン、ポリプロピレン等の合成樹脂フィルムよりなるカバー板３を重ね、当該書画等用ホルダー１の左辺及び下辺のホルダー台板２とカバー板３の重ね部分をそれぞれ熱融着、接着剤等にて接合することで左部融着部６及び下部融着部７を形成する。尚、上記ホルダー台板２は透明、半透明、着色透明であってもよいし、不透明さらに着色不透明であってもよい。書画等を際立たせるには着色不透明が好ましい。
【００１２】
図１に示すホルダー台板２の上部に位置する舌片８は、舌片８の両端に上部穴１０設け当該穴を底辺が横方向に幅広なＵ字状の切り目９を形成している。尚、該舌片８は該Ｕ字状に限らず半円形状、台形、或いは下狭台形等本発明の連結機能を有する形状であれば、どの様な形状であってもよい。また、舌片８を形成するために上部穴１０及び切り目９を形成する方法は、プレス加工による切断、ウオータージェット切断等どの様な方法であってもよい。さらに、切り目９は設ける必要はないが、切り目９の両端での亀裂を防止するには切り目状９の両端に丸穴を設けることが望ましい。尚、舌片を書画等用ホルダーの上部に設けるときは、下向きの舌片となるが、舌片を書画等用ホルダーの下部に設けるときは、上向きの舌片となる。
【００１３】
一方、図１に示す書画等用ホルダー１の下側に設けられた下部切り目１１は、前記上部切り目９と同様に、両端に下部穴１２がそれぞれ設けられて、当該下部穴１２を結ぶように下部切り目１１が設けられている。下部穴１２を設ける理由、切り目の作成方法等は上記舌片８を設ける場合の上部切り目９と同様であるが、該下部切り目１１の形状は前記下部穴１２を直線的、上向き円弧的又は下向き円弧的に結ぶものであってもよいし、その他の形状であってもよい。書画等用ホルダーを確実に連結するには上向き円弧的形状が望ましい。
【００１４】
また、書画等用ホルダーを複数整列して連結するためには、前記舌片８を前記下部切り目１１に挿入できるようなそれぞれの形状とする必要があるとともに、該舌片８を該下部切り目１１に挿入したときに、当該書画等用ホルダーが整列する位置にそれぞれ設ける必要がある。
【００１５】
尚、該舌片８を該下部切り目１１は、書画等用ホルダー１に各々１個又は２個以上設けてもよい。書画等用ホルダーの連結性の安定及び加工効率等を考慮すると２個それぞれ設けるのがよい。
【００１６】
上記カバー板３は、透明又は半透明のポリエチレン、ポリプロピレン等の樹脂や紙、ガラス等何でもよいが、ポリエチレン、ポリプロピレン等の樹脂は、強度、重さの点で好ましい。該カバー板３には、折り返し部１５が設けられており、当該折り返し部１５の右端は、折り返しを確固にするため融着部１４が設けられている。また、折り返し部１５に相対するホルダー台板２の位置には、折り返し部１５の略右半分の面積に相当する部分を切り欠くことで、ホルダー台板切欠１３が設けられている。当該ホルダー台板切欠１３は、ホルダー１内に絵画等を挿入するために、カバー板３を開くとき、ホルダー台板切欠１３の位置で折り返し部１５の右端を把持し易く絵画等を挿入に便利である。さらに、折り返し部１５に絵画等を折り返し部１５に挟み込むことで、書画等が落下するのを防止することができる。また、書画等を入れた後、折り返し部１５をホルダー台板２の裏側に位置することでホルダー台板２とカバー板３とが開き、書画等が落下するのを防止できる。
【００１７】
また、上記カバー板３の左部融着部６上端の右近傍と下部融着部７の右端の右近傍には、カバー板切欠４、５がそれぞれ設けられている。かかるカバー板切欠４、５は、カバー板３の開閉の繰り返しにより左部融着部６上端及び下部融着部７の右端より引き裂けるのを防止する役目をするためのものである。なお、当該カバー板切欠４、５は、任意のものであり、設けなくてもよい。
【００１８】
図２は、３ケのホルダーを連結した状態を現したものであるが、本発明は、図２に示すように複数のホルダーを立て方向に連結して整列することができる。該連結には、ホルダー１−１の下部切目にホルダー１−２の上部切目を挿入することでできる。
【００１９】
【発明の効果】
以上、説明したように本発明では、ホルダーの上部と下部にそれぞれ所定形状の切り目を設けて複数のホルダーを連結できるようにしたので、従来の単に書画等を直接展示板に押しピン、接着剤、テープ等で貼り付ける方法のように、書画等を汚したり、押しピン等で書画等を傷付けるという問題がない。また、書画等をホルダーにいれて当該ホルダーを展示する場合においては、当該ホルダーが複数収納するものであっても、書画等を傷付けることはないし、展示板への貼り付けは、連結した複数のもの単位で行うことができ作業が簡単で、展示終了後取り外すし作者に返却する場合はホルダーより取り出す必要がない。
【図面の簡単な説明】
【図１】本発明の一実施例に係る書画等用ホルダーを表したものである。
【図２】本発明のホルダーを複数連結した状態の図である。
【符号の説明】
１  書画等用ホルダー
２  ホルダー台板
３  カバー板
４、５  カバー板切欠
８  舌片
９  上部切目
１０  上部穴
１１  下部切目
１２  下部穴
１３  ホルダー台板切欠
１５  折り返し部
【図１】
0004647058.tif 000002
【図２】
0004647058.tif 000003